(57)【要約】      （修正有）【課題】フロントパネルを容易に取り付けることができるとともに、前記フロントパネルを正確な位置に配置させフロントパネルに無理な力がかからないようにして、確実に固定する。【解決手段】シャーシと、上側カバーと、フロントパネルとを有し、シャーシの側壁部１２は雌ねじが形成されたねじ孔１２１を有し、上側カバーは側面部２２に内側に向けて押し出された押出部２２１と、貫通孔２２２とを備え、フロントパネル３は係合凸部３１１と、中央に貫通部３１が形成された凹曲面形状の係合凹孔３１３とを有し、押出部２２１が前記係合凹孔と嵌合されている。【選択図】図４
2008147305.tif 000002
【特許請求の範囲】
【請求項１】
底面部の両側端部より立設された側壁部を備えた金属製のシャーシと、
前記シャーシの上部を覆う上面部と前記側壁部を覆う側面部とを備えた門形状の金属製の上側カバーと、
前記シャーシ及び前記上側カバーの正面側に係合された樹脂製のフロントパネルとを有する電子機器の筐体において、
前記シャーシの側壁部は雌ねじが形成されたねじ孔と、貫通した矩形状の係合孔とを備えており、
前記上側カバーは側面部に内側に向けて球面状に押し出された押出部と、前記押出部の中央に形成された貫通孔とを備えており、
前記フロントパネルは背面側に突出しているとともに前記側壁部及び前記側面部の間に配置された係合凸部を備えており、前記係合凸部は内側に突出し弾性変形する係止爪と、中央に貫通部が形成されているとともに周囲が前記押出部の球面形状と嵌合できるすり鉢形状に形成された係合凹孔と備えており、
前記フロントパネルは前記係止爪が前記シャーシの前記係合孔と係合するとともに、前記係合凹孔のすり鉢形状部が前記側壁部の反対に位置するように配置されており、前記上側カバーは前記押出部の球面状の部分が前記係合凹孔のすり鉢形状の部分と接触されているとともに、中央部が前記係合凹孔の貫通部より突出し前記シャーシと接触されており、前記係合凸部の中央に形成された貫通孔は前記シャーシのねじ孔と重なるように配置され、前記上側カバーの外側よりボルトが挿入され、且つ、前記ボルトが前記ねじ孔と螺合されていることを特徴とする電子機器の筐体。
【請求項２】
底面部の両側端部より立設された側壁部を備えた金属製のシャーシと、
前記シャーシの上部を覆う上面部と前記側壁部を覆う側面部とを備えた門形状の金属製の上側カバーと、
前記シャーシ及び前記上側カバーの正面側に係合された樹脂製のフロントパネルとを有する電子機器の筐体において、
前記シャーシの側壁部は雌ねじが形成されたねじ孔を有しており、
前記上側カバーは側面部に内側に向けて押し出された押出部と、貫通孔とを備えており、
前記フロントパネルは背面側に突出しているとともに前記側壁部及び前記側面部の間に配置された係合凸部を備えており、前記係合凸部は少なくとも中央に貫通部が形成され前記押出部と嵌合できる凹曲面形状の係合凹孔とを有し、
前記上側カバーは前記押出部の突出部が前記係合凹孔と嵌合されているとともに、中央部が前記係合凹孔の貫通部より突出し前記シャーシと接触されており、前記上側カバーの前記貫通孔にボルトを貫通させ前記ボルトが前記ねじ孔と螺合されていることを特徴とする電子機器の筐体。
【請求項３】
前記上側カバーの貫通孔は前記押出部の内部に形成されていることを特徴とする請求項２に記載の電子機器の筐体。
【請求項４】
前記押出部は円筒形状を有しており、
前記係合凹孔は前記押出部と係合可能な円筒形状の孔であることを特徴とする請求項２又は請求項３に記載の電子機器の筐体。
【請求項５】
前記押出部は軸方向断面が多角形状の錘台形状を有しており、
前記係合凹孔は前記押出部の錘台形状の傾斜部が当接した凹面部を備えていることを特徴とする請求項２又は請求項３に記載の電子機器の筐体。
【発明の詳細な説明】
【技術分野】
【０００１】
本発明は、電子機器の筐体に関するものであり、特に、電子部品が組み込まれたシャーシの正面側に配置されるフロントパネルと、前記シャーシを覆う上側カバーを備えた筐体に関するものである。
【背景技術】
【０００２】
たとえば、ＤＶＤレコーダに用いられているこの種の筐体は、各種操作を行うボタンが配置され、ＤＶＤメディアを入出する開口を備えたフロントパネルと、ＤＶＤレコーダユニット、基板等の部品が配置されたシャーシと、前記シャーシを覆う上側カバーを備えている。
【０００３】
前記フロントパネルは、背面側に突出した係合凸部を有しており、前記係合凸部を前記シャーシ及び前記上側カバーの係合部と係合させることで固定されている。前記係合凸部は弾性を有しており、前記係合凸部より突出し弾性変形することができる係止爪を備えている。前記フロントパネルは、前記係止爪を前記シャーシ、前記上側カバーに形成されている係合凹部と係合させることで、取り付けられている（特開２００５−２９４７２８号公報、特開２００２−３１４２５９号公報参照）。
【０００４】
しかしながら、前記フロントパネルを取り付けるのに、前記係合凸部の係止爪の弾性力のみを利用して係合させる方法では、前記シャーシ、上側カバー又はフロントパネルの形状、大きさによって、強度不足になる場合がある。また、弾性変形を繰り返すことで、部材が疲労してしまい、弾性力が弱まり、係合が甘くなる場合もある。前記係止爪の強度が不十分であったり、前記係止爪と前記シャーシ又は前記上側カバーとの係合が甘かったりすると、前記フロントパネルが脱落する不具合が発生しやすくなる。
【０００５】
そこで、特開昭６２−２８１５００号公報に記載の発明では、前記カバーは絞り部を有し、前記フロントパネルの突出部は、前記絞り部と嵌合する穴を有し、前記絞り部が前記穴を貫通するとともに、前記シャーシと直接接触するようにしたものが開示されている。
【０００６】
【特許文献１】特開２００５−２９４７２８号公報
【特許文献２】特開２００２−３１４２５９号公報
【特許文献３】特開昭６２−２８１５００号公報
【発明の開示】
【発明が解決しようとする課題】
【０００７】
しかしながら、特開昭６２−２８１５００号公報では、ねじによる締め付け力が直接フロントパネルには働かないように形成されており、ねじを締めることでフロントパネルの正確な位置決めを行うことができず、別途正確な位置決めを行う必要がある。また、絞り形状のため、尖鋭部が形成される可能性があり、その場合、前記尖鋭部に前記フロントパネルがこすれて削れてしまう可能性がある。
【０００８】
そこで本発明は、フロントパネルを容易に取り付けることができるとともに、前記フロントパネルを正確な位置に配置させることを目的とする。
【０００９】
また本発明は、フロントパネルを容易に取り付けることができるとともに、前記フロントパネルに無理な力がかからないようにして、確実に固定することを目的とする。
【課題を解決するための手段】
【００１０】
上記目的を達成するために本発明は底面部の両側端部より立設された側壁部を備えた金属製のシャーシと、前記シャーシの上部を覆う上面部と前記側壁部を覆う側面部とを備えた門形状の金属製の上側カバーと、前記シャーシ及び前記上側カバーの正面側に係合された樹脂製のフロントパネルとを有する電子機器の筐体において、前記シャーシの側壁部は雌ねじが形成されたねじ孔を有しており、前記上側カバーは側面部に内側に向けて押し出された押出部と、貫通孔とを備えており、前記フロントパネルは背面側に突出しているとともに前記側壁部及び前記側面部の間に配置された係合凸部を備えており、前記係合凸部は少なくとも中央に貫通部が形成され前記押出部と嵌合できる凹曲面形状の係合凹孔とを有し、前記上側カバーは前記押出部の突出部が前記係合凹孔と嵌合されているとともに、中央部が前記係合凹孔の貫通部より突出し前記シャーシと接触されており、前記上側カバーの前記貫通孔にボルトを貫通させ前記ボルトが前記ねじ孔と螺合されていることを特徴とする。
【００１１】
この構成によると、フロントパネルを容易に取り付けることができる。また、前記押出部が前記係合凹孔と係合し、前記押出部の内面が前記係合凹孔の凹曲面を押さえるので、前記フロントパネルの位置決めを行うことが可能である。
【００１２】
このことは、組み立てにかかる手間及び時間を削減することができるとともに、フロントパネルの位置決め調整の手間を削減することができ、それだけ、製造にかかるコストを削減することが可能である。また、前記フロントパネルの弾性力で係合し固定しているものに比べて、前記フロントパネルにかかる応力を低減することができるので、それだけ、前記フロントパネルの疲労を低減し筐体の寿命を延ばすことができる。
【００１３】
上記構成において、前記上側カバーの貫通孔は前記押出部の内部に形成されているものとしてもよい。また、前記押出部が円筒形状を有しており、前記係合凹孔は前記押出部と係合可能な円筒形状の孔とすることも可能である。
【００１４】
さらに上記構成において、前記押出部は軸方向断面が多角形状の錘台形状を有しており、前記係合凹孔は前記押出部の錘台形状の傾斜部が当接した凹面部を備えているものとしてもよい。また、断面形状は多角形に限定されるものではなく、円形であってもよい。
【００１５】
本発明にかかるコネクタ構造は次のようなものであってもよい。すなわち、底面部の両側端部より立設された側壁部を備えた金属製のシャーシと、前記シャーシの上部を覆う上面部と前記側壁部を覆う側面部とを備えた門形状の金属製の上側カバーと、前記シャーシ及び前記上側カバーの正面側に係合された樹脂製のフロントパネルとを有する電子機器の筐体において、前記シャーシの側壁部は雌ねじが形成されたねじ孔と、貫通した矩形状の係合孔とを備えており、前記上側カバーは側面部に内側に向けて球面状に押し出された押出部と、前記押出部の中央に形成された貫通孔とを備えており、前記フロントパネルは背面側に突出しているとともに前記側壁部及び前記側面部の間に配置された係合凸部を備えており、前記係合凸部は内側に突出し弾性変形する係止爪と、中央に貫通部が形成されているとともに周囲が前記押出部の球面形状と嵌合できるすり鉢形状に形成された係合凹孔と備えており、前記フロントパネルは前記係止爪が前記シャーシの前記係合孔と係合するとともに、前記係合凹孔のすり鉢形状部が前記側壁部の反対に位置するように配置されており、前記上側カバーは前記押出部の球面状の部分が前記係合凹孔のすり鉢形状の部分と接触されているとともに、中央部が前記係合凹孔の貫通部より突出し前記シャーシと接触されており、前記係合凸部の中央に形成された貫通孔は前記シャーシのねじ孔と重なるように配置され、前記上側カバーの外側よりボルトが挿入され、且つ、前記ボルトが前記ねじ孔と螺合されていることを特徴とする電子機器の筐体。
【発明の効果】
【００１６】
本発明によると、フロントパネルを容易に取り付けることができるとともに、前記フロントパネルを正確な位置に配置させることができる。
【００１７】
また本発明は、フロントパネルを容易に取り付けることができるとともに、フロントパネルに無理な力がかからないようにして、確実に固定することができる。
【発明を実施するための最良の形態】
【００１８】
以下に本発明の実施形態を図面を参照して説明する。図１は本発明を利用しているハードディスク内蔵ＤＶＤレコーダの概略を示す分解斜視図である。図１に示すハードディスク内蔵ＤＶＤレコーダＡは、少なくともシャーシ１と、上側カバー２と、フロントパネル３と、基板Ｂｐと、ハードディスクユニットＨｄと、ＤＶＤレコーダユニットＤｒとを備えている。
【００１９】
シャーシ１は金属板を折り曲げて形成されたものであり、四角形状の底面部１１と、底面部１１の両側の端部を折り曲げ立設させて形成された側壁部１２と、底面部１１の背面側の端部を折り曲げ立設させて形成されたリヤパネル１３とを有している。
【００２０】
上側カバー２は金属板を曲げることで形成されたものであり、シャーシ１の底面部１１と対向する上面部２１と、上面部２１の両側端部を折り曲げて形成された側面部２２とを有している。フロントパネル３は樹脂の一体成型にて形成されたものであり、開閉可能なドアが取り付けられた開口部３０と、背面側に突出しシャーシ１の側壁部１２及び上側カバー２の側面部２２と係合する係合凸部３１と、上面カバー２の上面部２１と係合する係合部３２とを有している。
【００２１】
シャーシ１の上面には基板Ｂｐが配置されている。基板Ｂｐはシャーシ１に対して絶縁された状態で配置されている。基板Ｂｐの上部にはメモリ、マイコン等の電子部品（図示省略）が実装ており、ハードディスクユニットＨｄは基板Ｂｐに固定されている。また、ＤＶＤレコーダユニットＤｒはシャーシ１に固定具Ｓｔを介して固定されている。ハードディスクユニットＨｄとＤＶＤレコーダユニットＤｒは基板Ｂｐに実装されたコネクタ（図示省略）と平形ケーブル等の変形自在なケーブル（図示省略）を介して接続されている。
【００２２】
図２は図１に示すハードディスク内蔵ＤＶＤレコーダのフロントパネル取り付け部を拡大した分解斜視図であり、図３は図１に示すハードディスク内蔵ＤＶＤレコーダのフロントパネル取り付け部を拡大した側面図であり、図４は図３に示すフロントパネル取り付け部のＸ−Ｘ線で切断した拡大断面図である。図２、図４に示すように、シャーシ１の側壁部１２の正面側には雌ねじが形成された第１ねじ孔１２１と、第１ねじ孔１２１の上部に形成された矩形状の係合孔１２２とを有している。また、図１に示すように背面側には第２ねじ孔１２０が形成されている。
【００２３】
上側カバー２の側面部２２の正面側には、内側に押し出された押出部２２１と、押出部２２１の中央に外側から内側に貫通する第１貫通孔２２２とが形成されている。また、側面部２２の背面側には、第２貫通孔２２０が形成されている。また、図示を省略しているがフロントパネル３の係合部３２が係合される被係合部が備えられている。押出部２２１は側面部２２を押し出すことで形成されるものであり、内側２２１ａは球面状を有している。
【００２４】
フロントパネル３の係合凸部３１は、内側に突出し弾性変形する係止爪３１１と、中央に貫通部３１３が形成された係合凹孔３１２とを有している。係合凹孔３１２は外側にすり鉢状の凹面３１２ａが形成されており、凹面３１２ａは押出部２２１の内側２２１ａの球面と同じ曲率の球面で形成されている。貫通孔３１３は、係合凹孔３１２に押出部２２１が係合したときに、押出部２２１の先端部が突出する大きさを有している。
【００２５】
以下に、ハードディスク内蔵ＤＶＤレコーダＡのフロントパネル３を組み付ける手順を説明する。シャーシ１に基板Ｂｐ、ハードディスクユニットＨｄ、ＤＶＤレコーダユニットＤｒとを組み付けた後、上部より上側カバー２を係合させる。このとき、上側カバー２の側面部２２がシャーシ１の側壁部１２の外側になるように配置する。また、側壁部１２の第１ねじ孔１２１と上側カバー２の第１貫通孔２２２及び側壁部１２の第２ねじ孔１２０と上側カバー２の第２貫通孔２２０とがそれぞれ重なるように配置する。
【００２６】
その後、フロントパネル３は正面側より、係合凸部３１が側壁部１２と側面部２２との間に挿入されるように取り付けられる。詳しく説明すると、係合凸部３１に形成されている係止爪３１１が弾性的に変形された状態で正面側より挿入し、側壁部１２に形成された係合孔１２２に挿入される。このとき、係合凸部３１に形成されている係合凹孔３１２に上側カバー２の側面部２２に形成された押出部２２１が係合される。係合凹孔３１２と押出部２２１は同じ曲率を備えているので、用意に係合凹孔３１２の凹面３１２ａが押出部２２１の内面２２１ａが精度よく配置される。また、押出部２２１の内面２２１ａが球面で形成されており、尖鋭部を備えていないので樹脂製の係合凸部３１の傷がつくのを抑制して挿入することが可能である。
【００２７】
この状態のとき、係合凸部３１２の係合凹孔３１２の中央に形成された貫通部３１３より側面部２２の押出部２２１の内面２２１ａの先端部が突出しており、側壁部１２と当接している。また、押出部２２１の中央に形成されている第１貫通孔２２２と側壁部１２の第１ねじ孔１２１とが重なるように配置されている。この状態で、側面部２２の外側よりボルトＢｔを挿入するとともに、ボルトＢｔをねじ孔１２２に螺合させる。同様に、第２ねじ孔１２０と第２貫通孔２２０とも重なっており、第２貫通孔２２０よりボルトＢｔを挿入し第２ねじ孔１２０と螺合させる（図１参照）。
【００２８】
これにより、側面部２２は側壁部１２にすなわち、上側カバー２がシャーシ１に強固に固定される。また、係止爪３１１と係合孔１２２とが係合していることで、フロントパネル３も抜け止めされる。
【００２９】
また、押出部２２１の内面２２１ａが係合凹孔３１２の凹面３１２ａを凹圧するので、係合凹孔３１２の押出部２２１に対する位置を正確な位置に移動させることができ、これにより、フロントパネル３全体も正確な位置に移動されて固定される。
【００３０】
さらに、押出部２２１の内面２２１ａが係合凹孔３１２の凹面３１２ａと接触しているので、凹面３１２ａにかかる圧力を低減することができ、それだけ、係合凹孔３１２及びフロントパネル３の全体に無理な応力を低減し、破損や変形を抑制することができる。
【００３１】
本発明の他の例を図を参照して説明する。図５は本発明にかかるハードディスク内蔵ＤＶＤレコーダのフロントパネル取り付け部の断面図である。図５に示すように側面部２２は押出部２２３と第１貫通孔２２４とが異なる位置に形成されている。すなわち、押出部２２３は係合凹孔３１２と当接し、側壁部１２と当接するとともに、第１貫通孔２２４と第１ねじ孔１２１が係合凹孔３１２をはずして形成されており、第１ねじ孔１２１に第１貫通孔２２４を貫通したボルトＢｔを用いて螺合することで固定されている。
【００３２】
これにより、押出部２２３に第１貫通孔２２４を形成しなくてもよく、押出部２２３の形状が第１貫通孔２２４を形成するときにゆがむのを抑制することができる。また、貫通孔２２４、貫通部３１３及び第１ねじ孔１２１を重ねて形成する必要がなく、それだけ、加工及び設計の自由度をあげることができる。
【００３３】
本発明のさらに他の例を図を参照して説明する。図６は本発明にかかる電子機器の筐体の他の例の押出部の２面図を示す。図６の（Ａ）は押出部２２５が円筒形状のものである。この場合、内部に貫通孔を形成しやすい。また、この場合、内面２２５ａの曲面部２２５ｂと係合凹孔３１４とが密接するように形成されている。この形状の場合、内面２２５ａが係合凹孔３１４の曲面部３１４ａを押さえないので、係合凸部３１にかかる応力を低減することが可能である。また、図６の（Ｂ）に示すように、押出部２２５が円錐台形状に形成されているものであってもよい。
【００３４】
さらに、図６の（Ｃ）に示すように、押出部２２６が２段の段差を有するように形成されていてもよい。押出部２２６は先端の第１段部２２６ａと後段の第２段部２２６ｂとが形成されている。係合凹孔３１５は、断面円形のすり鉢状の凹面３１５ａを有している。第１段部２２６ａが貫通部３１３を貫通し側壁部１２と当接したときに、第２段部２２６ｂの外周部が凹面３１５ａと当接するように形成されているものである。この構成によると、押出部２２６と係合凹孔３１５の当接面を小さくすることができる。
【００３５】
上記各実施例においては便宜上、押出部の断面形状が円形であるものを説明しているが、多角形状のものとしてもよい。また、一実施例としてハードディスク内蔵ＤＶＤレコーダを例に説明しているがそれに限定されるものではなく、シャーシ、上側カバー及びフロントパネルを備え、各部の少なくとも一部を重ねて固定する機器に広く採用することが可能である。
【００３６】
以上、発明の実施形態を具体的に説明したが、本発明は上記実施形態に限定するものではなく、その要旨を逸脱しない範囲で種々変更可能である。
【産業上の利用可能性】
【００３７】
本発明は、ＤＶＤプレーヤ、ＤＶＤレコーダ、ＣＤプレーヤ、ＶＴＲ等の筐体のフロントパネルに採用することが可能である。
【図面の簡単な説明】
【００３８】
【図１】本発明を利用しているハードディスク内蔵ＤＶＤレコーダの概略を示す分解斜視図である。
【図２】図１に示すハードディスク内蔵ＤＶＤレコーダのフロントパネル取り付け部を拡大した分解である。
【図３】図１に示すハードディスク内蔵ＤＶＤレコーダのフロントパネル取り付け部を拡大した側面図である。
【図４】図３に示すＸ−Ｘ線で切断した断面図である。
【図５】図５は本発明にかかるハードディスク内蔵ＤＶＤレコーダのフロントパネル取り付け部の断面図である。
【図６】本発明にかかる電子機器の筐体のさらに他の例の押出部の２面図である。
【符号の説明】
【００３９】
１  シャーシ
１１  底面部
１２  側壁部
１２１  第１ねじ孔
１２０  第２ねじ孔
１２２  係合孔
２  上側カバー
２１  上面部
２２  側面部
２２０  第２貫通孔
２２１  押出部
２２２  第１貫通孔
３  フロントパネル
３０  開口部
３１  係合凸部
３１１  係止爪
３１２  係合凹孔
３１３  貫通部
３２  係合部
Ｂｐ  基板
Ｈｄ  ハードディスクユニット
Ｄｒ  ＤＶＤレコーダユニット
Ｒｐ  リヤパネル
Ｓｔ  固定具
【図１】
2008147305.tif 000003
【図２】
2008147305.tif 000004
【図３】
2008147305.tif 000005
【図４】
2008147305.tif 000006
【図５】
2008147305.tif 000007
【図６】
2008147305.tif 000008